(57)【特許請求の範囲】
【請求項１】
第１容器内に固体成分を収容しておくとともに、第１容器とは独立した第２容器内に、前記固体成分の溶媒乃至分散媒となる液体成分を収容しておき、
用時において第１容器内又は互いに連結された第１及び第２容器内で、前記固体成分を前記液体成分と混合して、この混合液を第２容器内に収容し、
前記混合前に予め、若しくは、混合後に、第２容器に、第２容器内の液体を吐出するためのスプレー装置などの吐出装置を装着することで、第２容器内の前記混合液を吐出操作可能として、前記混合前においては液体成分用容器として用いた第２容器を混合液の吐出容器として用いることを特徴とする用時混合方法。
【請求項２】
第１の口部を有する第１容器と、該第１容器の内部空間を外気から密封するように第１の口部に装着される栓体と、スプレー装置などの吐出装置が上部に装着されるとともに下部に下方に向けて開口する第２の口部を有する第２容器と、該第２容器の内部空間を外気から密封するように第２の口部に装着されるキャップとを備え、該キャップは、第２容器を自立させるための台座として機能することを特徴とする用時混合容器セット。
【請求項３】
請求項２に記載の用時混合容器セットにおいて、前記第２の口部は、第１の口部に気密状に嵌合可能であり、これら第１及び第２の口部の嵌合によって、第１容器と第２容器とが上下に直列状に連結されて、両容器の内部空間が連通されることを特徴とする用時混合容器セット。
【請求項４】
請求項２に記載の用時混合容器セットにおいて、第２の口部は、外周にネジ部が設けられた筒状の螺着部と、該螺着部から下方に延出され且つ螺着部よりも小径の筒状のシリンダ部と、該シリンダ部の下端に設けられた漏斗状のフレア部とを備え、
前記キャップは、前記螺着部外周に螺着されるとともに、前記シリンダ部に液密状に内嵌される筒状乃至柱状の密栓部を備えていることを特徴とする用時混合容器セット。
【請求項５】
第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップと、スプレー装置などの吐出装置とを備え、
第２容器は、内容物収容空間を内部に有するとともに第３の口部を有する容器本体と、一端部が第３の口部に気密状に着脱自在に装着されるとともに他端部に前記第２の口部を有するアダプターとを備え、前記吐出装置は、アダプターに代えて第３の口部に気密状に装着可能であり、
前記第２の口部は、第１の口部に気密状に嵌合可能であり、
第２の口部と第１の口部とが気密状に嵌合する状態から第１容器と第２容器とを離反させようとする際に、第２の口部と第１の口部との間に容器内部空間を外気に連通させる通気路を形成するための溝部が、第２の口部及び／又は第１の口部の開口端部に設けられていることを特徴とする用時混合容器セット。
【請求項６】
第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップとを備え、
前記第２の口部は、第１の口部に気密状に嵌合可能であり、第２の口部と第１の口部とが気密状に嵌合する状態から第１容器と第２容器とを離反させようとする際に、第２の口部と第１の口部との間に容器内部空間を外気に連通させる通気路を形成するための溝部が、第２及び／又は第１の口部の開口端部に設けられていることを特徴とする用時混合容器セット。
【請求項７】
請求項６に記載の用時混合容器セットにおいて、第２の口部は、第２容器の下部に下方開口状に設けられていることを特徴とする用時混合容器セット。
【請求項８】
第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップと、スプレー装置などの吐出装置とを備え、
第２容器は、内容物収容空間を内部に有するとともに第３の口部を有する容器本体と、一端部が第３の口部に気密状に着脱自在に装着されるとともに他端部に第２の口部を有するアダプターとを備え、前記吐出装置は、アダプターに代えて第３の口部に気密状に装着可能であることを特徴とする用時混合容器セット。
【発明の詳細な説明】
【０００１】
【発明の属する技術分野】
本発明は、凍結乾燥された固形薬剤と溶媒乃至分散媒とを分離して収容しておき、用時に両者を混合して使用するための用時混合方法、並びに、該方法に使用する用時混合容器セットに関する。
【０００２】
【従来の技術】
この種従来の用時混合容器として、本願出願人は、従来より特開２００１−２９４７１号公報や特開平８−２８０８０７号公報等に開示したものを開発している。これら従来の用時混合容器は、単一の容器内に、互いに分離された固体成分収容部と液体成分収容部とを設けておき、用時にこれら収容部を互いに連通させて固体成分を液体成分に溶解乃至分散させて、かかる薬液を噴霧し得るように構成している。
【０００３】
【発明が解決しようとする課題】
上記従来のタイプの用時混合容器では、充填工場等で無菌状態で容器内に固体成分並びに液体成分を充填・密封し、無菌状態を維持したまま保管・輸送を行い、用時の混合作業においても容器内部が外気に曝されないため、極めて衛生的な取扱いを行い得るものでありながら、使用直前に溶解を行うことで薬効の低下を防止し得るものである。
【０００４】
しかし、用途によっては、用時混合作業時に固体成分や液体成分が多少外気に曝されても問題はない場合もある。かかる場合においては、製造設備の新設や充填工場における充填工程の効率低下の要因ともなり得る上記従来の用時混合容器を用いる必要はない。このような場合において、従来、バイアル瓶と、これとは別体の溶媒用容器と、スプレー容器との３つをセット販売し、用時にバイアル瓶内の固体成分を溶媒用容器内の液体成分に混合溶解させ、この混合液剤をスプレー容器内に充填して使用することも行われている。しかしながら、３つの容器を梱包してセット販売すると、梱包材が大きくなり、保管コストや搬送コストが高くなるとともに、混合後にバイアル瓶と溶媒用容器の２つの容器が不要となって、廃棄量が増加し、環境にも好ましいものではない。
【０００５】
そこで、本願発明者らは、用時にこれらバイアル瓶と溶媒用容器とを接続して固体成分と液体成分とを混合するか、あるいは溶媒用容器内の液状の溶媒をバイアル瓶に一旦移し代えてバイアル瓶内で混合作業を行った後、混合液剤を溶媒用容器内に収容し、この溶媒用容器にスプレー装置を装着して、スプレー容器として流用する新規な用時混合方法、並びに、該方法に好適に用いることのできる新規な用時混合容器セットを提供することを目的とする。
【０００６】
【課題を解決するための手段】
本発明は、上記目的を達成するために、次の技術的手段を講じた。
【０００７】
即ち、本発明の用時混合方法は、（１）第１容器内に固体成分を収容しておくとともに、第１容器とは独立した第２容器内に、前記固体成分の溶媒乃至分散媒となる液体成分を収容しておき、（２）用時において第１容器内又は互いに連結された第１及び第２容器内で、前記固体成分を前記液体成分と混合して、この混合液剤を第２容器内に収容し、（３）前記混合前に予め、若しくは、混合後に、第２容器に、第２容器内の液体を吐出するためのスプレー装置などの吐出装置を装着することで、第２容器内の前記混合液剤を吐出操作可能として、前記混合前においては液体成分用容器として用いた第２容器を混合液剤の吐出容器として用いることを特徴とするものである。これによれば、用時混合前の保管や輸送時等においては、セットを構成する容器が２つであるので、梱包材が大きくなりすぎることがなく、取扱いの容易化とコスト低減を図ることが可能となる。また、用時混合前においては液体成分用の収容容器として用いた第２容器を、用時混合後は混合液剤の吐出装置として流用しているので、構成要素の削減によるコスト低減と、廃棄量の低減とを図ることができ、環境性の向上をも図ることが可能となる。
【０００８】
上記本発明方法において、より好ましくは、第１容器を、ガラス等のガスバリア性に優れた材質からなる瓶体（例えば、従来公知のバイアル瓶など）によって構成することができる。これによれば、瓶体内で凍結乾燥させることにより該瓶体内に無菌状態で固体成分を収容でき、特に、不安定な凍結乾燥製剤を硝子容器によって安定的に保存可能となる。
【０００９】
また、第２容器を、上下両端にそれぞれ口部を有する筒状に構成し、上側口部にはスプレー装置などの吐出装置を装着するとともに、下側口部（第２の口部）にはキャップを装着して、第２容器内の液体成分を密封することが可能である。さらに、用時において、下側口部からキャップを取り外して、該下側口部を液体流通口として利用して固体成分と液体成分とを混合し、この混合液剤を下側口部から第２容器内に収容させた後、キャップを再度下側口部に装着することで、第２容器を、点鼻スプレー容器などの吐出容器として用いることが可能となるとともに、吐出装置を第２容器から取り外すことなく用時混合作業を行うことができ、液体成分で塗れている吐出装置の吸い上げ管などを第２容器で保護しつつ混合作業が行われ、また、吐出装置を一旦取り外すことによって机上を濡らすこと等を防止できる。かかる用時混合作業の迅速化や容易化のために、好ましくは、第１容器の口部（第１の口部）を、第２容器の下側口部に液密状に嵌合可能に設けることが好ましく、これによれば、嵌合接続状態で第１及び第２容器を上下に振るだけで、固体成分と液体成分とを均一に混合可能となる。なお、第２容器を有底ボトルにより構成した場合は、第２容器の上側口部から吐出装置を一旦取り外して、この上側口部を液体流通口として用いて固体成分と液体成分とを混合することができる。
【００１０】
上記本発明方法は、以下に新規に提案される用時混合容器セットを用いることによって、好適に実施することが可能である。
【００１１】
かかる本発明の用時混合容器セットは、第１の口部を有する第１容器と、該第１容器の内部空間を外気から密封するように第１の口部に装着される栓体と、スプレー装置などの吐出装置が上部に装着されるとともに下部に下方に向けて開口する第２の口部を有する第２容器と、該第２容器の内部空間を外気から密封するように第２の口部に装着されるキャップとを備え、該キャップは、第２容器を自立させるための台座として機能することを特徴とするものである。これによれば、第１容器の内部空間には、凍結乾燥法等の適宜の方法で固体成分（粉体乃至粒体を含む）を収容して、第１の口部に栓体を装着する一方、第２容器の内部空間には、固体成分の溶媒乃至分散媒となる液体成分（それ自体が有効成分を含有するものであってもよい）を収容して、第２の口部にキャップを装着することにより、固体成分と液体成分とを完全に分離した状態で、かつ、各成分を外気から遮断した状態で保管や輸送等を行うことができる。用時においては、第２の口部からキャップを取り外すとともに、第１の口部から栓体を取り外して、第１容器内の固体成分と第２容器内の液体成分とを混合することができ、その後、キャップを第２の口部に装着することによって、第２容器内に混合物を密封収容することができて、この第２容器の上部に設けた吐出装置によって混合物を吐出可能である。このように、第２容器を、用時混合前の液体成分収容容器と、用時混合後の混合液剤の吐出容器とに兼用することによって、必要部品点数の削減を図り、コスト低減、梱包の軽量小型化を図り得るのみならず、廃棄量の低減により環境性にも優れたものとなる。さらに、上記した混合作業時に、第２容器の上部に設けた吐出装置を第２容器から取り外す必要がないので、上記のような兼用を行いつつも、吐出装置の吸い上げ管などに付着した液体が周囲に撒き散らされることもなく、衛生的にも好ましいものとなる。また、キャップが、第２容器を自立させるための台座として機能するので、下部に下方開口状に上記第２の口部を設けたにもかかわらず、部品点数の削減や構造の簡素化を図りつつも、キャップを装着した状態では第２容器を安定的に棚や机の上に自立させることができ、使用時の利便性が向上される。
【００１２】
また、上記用時混合容器セットにおいて、第２容器に装着される吐出装置を、吸い上げ管によって第２容器の内部空間の底部から液体を吸い上げる構成とする場合、第２容器の下部の第２の口部の少なくとも先端側の内径を小さくすることが、吸い上げ可能な最低液量を可及的に少量とするには有効である。この場合においても、第２の口部に装着されるキャップの底面を平坦状かつ可及的に大径とすることにより、該キャップが台座として機能して、第２の容器を安定的に自立させることが可能となる。
【００１３】
上記した本発明の用時混合容器セットにおいて、前記第２の口部は、第１の口部に気密状に嵌合可能であり、これら第１及び第２の口部の嵌合によって、第１容器と第２容器とが上下に直列状に連結されて、両容器の内部空間が連通されるものとすることができる。これによれば、用時混合作業時に、第１及び第２の口部を嵌合することで、第１容器の内部空間と第２容器の内部空間とが、外気から遮断された状態で上下に連通されるので、かかる嵌合連結状態で容器を縦に強く振ることにより、第１容器内の固体成分と第２容器内の液体成分とを均一に混合することができ、液剤を周囲に撒き散らすことなく容易かつ迅速に混合作業を行える。さらに、第２の口部が下方開口状であるので、両容器を接続した状態での第１容器の内部空間と第２容器の内部空間の全体空間の上下長さを大きくすることができ、混合のために容器を上下に振ると、全体空間内で液体が上下に大きく往復運動するため、固体成分を液体成分に均一に溶解乃至分散させることが可能である。
【００１４】
また、第２の口部は、外周にネジ部が設けられた筒状の螺着部と、該螺着部から下方に延出され且つ螺着部よりも小径の筒状のシリンダ部と、該シリンダ部の下端に設けられた漏斗状のフレア部とを備え、前記キャップは、前記螺着部外周に螺着されるとともに、前記シリンダ部に液密状に内嵌される筒状乃至柱状の密栓部を備えているものとすることもできる。これによれば、用時においては、第１容器の栓体を第１の口部から取り外すとともに、第２容器のキャップを第２の口部から取り外し、第２容器内の液体成分を第２の口部から第１の口部内に注ぎ入れることによって、液体成分を第２容器から第１容器に一旦移し換えることができる。この際、第２の口部の先端に、漏斗状のフレア部が設けられているので、極めて作業性が良く、液体成分の零れが生じることを防止できる。そして、第１容器内で固体成分と液体成分とを混合した後、第１容器内の混合液剤を第１の口部から第２の口部内に注ぎ入れることによって、混合液剤を第１容器から第２容器に移し替え、第２の口部に再度キャップを装着することにより、混合液剤を第２容器内に密封状態で収容し得るとともに、吐出装置によって混合液剤を噴霧などの態様で吐出できるようになる。また、フレア部は、密封のためのシリンダ部の下端に設けているので、シール構造としては不必要ともいえるフレア部をキャップ内に収容しつつ、確実に密封することが可能となる。さらに、シリンダ部と密栓部とが、シール性確保のために無理嵌めとしていても、キャップは第２の口部の螺着部に螺着されているものであるから、キャップの着脱を容易に行える。
【００１５】
また、上記本発明方法を実施するための本発明の別の用時混合容器セットは、第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップとを備え、前記第２の口部は、第１の口部に気密状に嵌合可能であり、第２の口部と第１の口部とが気密状に嵌合する状態から第１容器と第２容器とを離反させようとする際に、第２の口部と第１の口部との間に容器内部空間を外気に連通させる通気路を形成するための溝部が、第２及び／又は第１の口部の開口端部に設けられていることを特徴とするものである。これによれば、バイアル瓶などの第１容器内に例えば固体成分を収容しておくとともに、樹脂容器などの第２容器内に例えば液体成分を収容しておき、用時に栓体並びにキャップをそれぞれ取り外して第１容器の第１口部と第２容器の第２口部とを気密状に嵌合して、固体成分と液体成分とを混合させることができる。さらに、混合完了後、第１容器と第２容器とを離反させようとする際に、完全に離反する前に通気路が形成されて、混合によって上昇した内圧が解消されるので、離反直後に内部空気が一気に吹き出して混合液剤を容器外部に飛散・付着させることを防止でき、衛生上好ましいものとなる。即ち、上記溝部が形成されていない場合には、用時混合作業時の液漏れを防止するために第１容器と第２容器とを密封嵌合状態で接続すると、混合のために容器を激しく振ることによって蒸気圧の変動等の要因によって容器内の内圧が上昇し、第１容器を第２容器から外した瞬間に容器内の空気が一気に口部から吹き出して内容液剤を周囲に飛散させてしまうが、本発明によれば、この問題を解消して、容器周囲で細菌類が繁殖することを防止できる。したがって、固体成分などの第１物質と、液体成分などの第２物質とをそれぞれ個別の容器内に収容して保管・輸送を行い得るものでありながら、用時混合作業のために接続した第１容器と第２容器とを離反させる際に自然に空気抜きが行われるようにして、容器外面への液剤の飛散・付着を防止できる。
【００１６】
この用時混合容器セットにおいて、第２の口部は、第２容器の下部に下方開口状に設けることができる。これによれば、第２容器の上部に、予め吐出装置を装着しておくことが可能であるとともに、この吐出装置を用時混合作業時に第２容器から取り外す必要がない。さらに、第２の口部が下方開口状であるので、両容器を接続した状態での第１容器の内部空間と第２容器の内部空間の全体空間の上下長さを大きくすることができ、混合のために容器を上下に振ると、全体空間内で液体が上下に大きく往復運動するため、固体成分を液体成分に均一に溶解乃至分散させることが可能である。
【００１７】
また、上記本発明方法を実施するためのさらに別の用時混合容器セットは、第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップと、ポンプスプレー装置などの吐出装置とを備え、第２容器は、内容物収容空間を内部に有するとともに第３の口部を有する容器本体と、一端部が第３の口部に気密状に着脱自在に装着されるとともに他端部に第２の口部を有するアダプターとを備え、前記吐出装置は、アダプターに代えて第３の口部に気密状に装着可能であることを特徴とするものである。これによれば、第２容器を、吐出装置が装着される容器本体と、用時混合が完了するまで容器本体に装着されるアダプターとで構成し、このアダプターを介して第１容器と第２容器とを気密状に接続するようにしているので、従来より用いられているポンプスプレー装置やバイアル瓶などを流用しつつも、用時に２つの容器を気密状に接続して混合作業を行うことが可能となる。即ち、従来のバイアル瓶の口部の口径は、内容量等によって業界内でほぼ一定であるとともに、スプレー装置などの吐出装置を容器口部に装着するためのネジ径も業界内でほぼ統一されており、これら口径とネジ径とは異なるものであるが、本発明によれば、従来の規格に沿ったバイアル瓶や吐出装置を用いつつも、アダプターを介して第２容器と第１容器とを気密状に接続できるようになる。
【００１８】
本発明の用時混合容器は、好ましくは、第１の口部を有する第１容器と、該第１容器の内部空間を外気から密封するように第１の口部に装着される栓体と、第２の口部を有する第２容器と、該第２容器の内部空間を外気から密封するように第２の口部に装着されるキャップと、スプレー装置などの吐出装置とを備えるものとすることができる。ここで、第２容器は、内容物収容空間を内部に有するとともに第３の口部を有する容器本体と、一端部が第３の口部に気密状に着脱自在に装着されるとともに他端部に第２の口部を有するアダプターとを備えることができる。また、前記吐出装置は、アダプターに代えて第３の口部に気密状に装着可能であってよい。また、前記第２の口部は、第１の口部に気密状に嵌合可能であり、第２の口部と第１の口部とが気密状に嵌合する状態から第１容器と第２容器とを離反させようとする際に、第２の口部と第１の口部との間に容器内部空間を外気に連通させる通気路を形成するための溝部が、第２の口部及び／又は第１の口部の開口端部に設けられているものとすることができる。
【００１９】
また、上記した通気路を形成するための溝部が設けられた用時混合容器によれば、第１容器内には凍結乾燥してなる固体成分を収容しておくとともに、第２容器内には、前記固体成分が溶解乃至分散する液体成分を収容しておき、用時に第１容器の栓体を第１の口部から取り外すとともに第２容器のキャップを第２の口部から取り外し、第１容器を天地反転して第１の口部を第２容器上端の第２口部に気密状に嵌合し、この状態で適宜の方法により前記固体成分と液体成分とを混合することで固体成分を液体成分に溶解乃至分散させた後、天地反転状態の第１容器を第２容器に対して上方に離反させ、該離反の際に形成される通気路を介して離反完了に先立って容器内部の空気抜きを行うことができる。
【００２０】
また、本発明の用時混合容器セットは、第１の口部を有する第１容器と、該第１容器の内部空間を外気から密封するように第１の口部に装着される栓体と、ポンプスプレー装置などの吐出装置が上部に装着されるとともに下部に第２の口部を有する第２容器と、該第２容器の内部空間を外気から密封するように第２の口部に装着されるキャップとを備え、第２の口部は、外周にネジ部が設けられた筒状の螺着部と、該螺着部から下方に延出され且つ螺着部よりも小径の筒状のシリンダ部と、該シリンダ部の下端に設けられた漏斗状のフレア部とを備え、前記キャップは、前記螺着部外周に螺着されるとともに、前記シリンダ部に液密状に内嵌される筒状乃至柱状の密栓部を備えているものとすることもできる。これによれば、第１容器には例えば薬剤の有効成分を含有する固体成分を収容する一方、第２容器には、固体成分の溶媒乃至分散媒となる液体成分を収容した状態で、保管・輸送・販売等を行うことができる。また、用時においては、第１容器の栓体を第１の口部から取り外すとともに、第２容器のキャップを第２の口部から取り外し、第２容器内の液体成分を第２の口部から第１の口部内に注ぎ入れることによって、液体成分を第２容器から第１容器に一旦移し換えることができる。この際、第２の口部の先端に、漏斗状のフレア部が設けられているので、極めて作業性が良く、液体成分の零れが生じることを防止できる。そして、第１容器内で固体成分と液体成分とを混合した後、第１容器内の混合液剤を第１の口部から第２の口部内に注ぎ入れることによって、混合液剤を第１容器から第２容器に移し替え、第２の口部に再度キャップを装着することにより、混合液剤を第２容器内に密封状態で収容し得るとともに、吐出装置によって混合液剤を噴霧などの態様で吐出できるようになる。また、フレア部は、密封のためのシリンダ部の下端に設けているので、シール構造としては不必要なフレア部をキャップ内に収容しつつ、確実に密封することが可能となる。さらに、シリンダ部と密栓部とが、シール性確保のために無理嵌めとしていても、キャップは第２の口部の螺着部に螺着されているものであるから、キャップの着脱を容易に行える。
【００２１】
なお、第１容器の第１の口部に装着された栓体を確実に保持するために、第１の口部にさらに蓋部材（例えば、特開平９−２７８０５１号公報に開示したロック機構付き環状蓋など）を装着することが可能である。この蓋部材は、円盤状の天板部の周縁に複数の係止舌片を周方向に配設してなる係止部材と、該係止部材の複数の係止舌片の外周側に装着される円筒状のホルダー部材とを備えることができ、前記各係止舌片は、天板部周縁から下方に延設させて、その下端側が径方向に拡縮するように弾性変形可能とすることができる。係止部材の上端とホルダー部材の下端とを、破断可能な連結部を介して一体成形することができ、この蓋部材の使用時に、ホルダー部材を係止部材に対して下方に押し込むことによって連結部を破断して、ホルダー部材を複数の係止舌片の外周に装着させ、該ホルダー部材によって複数の係止舌片を径方向内方に変形させて、この係止舌片を第１の口部外周に係止させることができる。好ましくは、ホルダー部材の内周面と係止舌片の外周面とに、ホルダー部材が係止舌片の外周に装着されたときに互いに係止する係止部（凹部若しくは凸部など）をそれぞれ設けることで、ホルダー部材が不慮に外れてしまうことを防止できる。また、ホルダー部材の内周面と係止舌片の外周面とに、互いに螺合するネジ部を形成して、ホルダー部材を複数の係止舌片に螺着することも可能である。これによれば、不慮にホルダー部材が外れてしまうことを防止できるとともに、ホルダー部材によって係止舌片を径方向内方に強く押し付けていても、ホルダー部材の回転操作によってホルダー部材を比較的軽い力で係止部材から離脱させることが可能となる。また、係止部材外周に装着されているホルダー部材を引き上げたときに、係止部材の上端近傍の外周縁に係止する係止部を、ホルダー部材の下端近傍の内周に設けることもでき、これによれば、ホルダー部材の引き抜きとともに係止部材を口部から取り外すことが可能となる。この蓋部材は、ガラス製バイアル瓶の口部に装着されたブチルゴム製などの栓体の保持、並びに、気密性の確実性の向上等のために好適に使用することができ、本発明の用時混合容器セット以外にも適宜流用できるものである。
【００２２】
また、上記栓体は、第１容器の第１の口部内に嵌入されるものであってもよく、口上面に設置される円盤状のシール部材によって構成することも可能である。
【００２３】
【発明の実施の形態】
以下、本発明の好ましい実施の形態を図面に基づいて説明する。
【００２４】
図１〜図５は本発明（特に、請求項２，３，６，７）の第１の実施形態に係る用時混合容器セットを示しており、該用時混合容器セットは、凍結乾燥製剤からなる固体成分を収容するためのバイアル瓶１（第１容器）と、固体成分の溶媒乃至分散媒となる液体成分を収容するための樹脂製ボトル２（第２容器）とにより主構成されている。なお、上記液体成分自体が有効成分を含有していてもよい。このセットは、例えば、用時溶解式の点鼻剤ポンプスプレー容器として好適に用いることができ、その他、適宜の用途に使用できる。
【００２５】
バイアル瓶１はガラス製であって、有底円筒状の胴部３の上端に円筒状の口部４（第１の口部）を一体に備えるものである。この口部４には、ブチルゴムなどのゴム製の栓体５が気密状に嵌め込まれるとともに、栓体５が不慮に離脱することを防止するとともに気密性を向上するための蓋部材６（ゴム栓押さえ）が被冠されている。また、口部４の上端部には径方向外方に突出するフランジ部７が設けられており、上記蓋部材６は、このフランジ部７に係止することで口部４に取り付けられる。なお、フランジ部７は、口部４の軸方向中途部に設けてもよい。このように、フランジ部７を軸方向中途部に設ければ、バイアル瓶１の口上面構造が２段となり、フランジ部７と栓体５のフランジ部９との間に隙間ができるので、この隙間に指先を差し込んで、栓体５を容易に抜き取れるようになる。
【００２６】
栓体５は、口部４内に嵌入する密栓部８と、口部４の口上面に接触する鍔部９とを一体に備えている。鍔部９の外径は、口部４のフランジ部７の外径とほぼ同一となされている。密栓部８の側部には、その下端部から上方に延びる凹部１０が形成されており、この凹部１０上端が口部４上端よりも上方に位置している半打栓状態においては、栓体５と口部４との間に凹部１０による通気路が形成されるようになっている。一方、鍔部９が口部４の口上面に接触するまで栓体５を口部４に嵌め込んだ全打栓状態においては、凹部１０上端は口部４上端よりも容器内方（下方）に位置して、口部４を気密状に密封し得るようになっている。
【００２７】
蓋部材６は、円盤状の天板部１１の周縁に複数の係止舌片１２を周方向に配設してなる係止部材１３と、該係止部材１３の複数の係止舌片１２の外周側に装着される円筒状のホルダー部材１４とを備えている。これら係止部材１３とホルダー部材１４とは、図４（ｄ）に示すように製造時において一体成形され、バイアル瓶１への凍結乾燥製剤の充填後のキャッピング時にホルダー部材１４の押し込み操作によって連結部１５を破断して、両者が別体となるものである。なお、蓋部材６は、焼却廃棄可能な樹脂製とすることが好ましい。
【００２８】
図示実施例では、８つの係止舌片１２が口部４を包囲するように周方向に均等配置され、隣接する２つの係止舌片１２の間にはスリットが形成されている。各係止舌片１２は、上下方向に長尺状に構成され、天板部１１周縁から下方に延設されており、その下端側が径方向に拡縮するように弾性変形可能であり、非変形状態では下端側が上端側よりも径方向外方に拡がるように形成されている。係止舌片の内周面には、口部４のフランジ部７に軸方向に係止可能な係止凸部１５が設けられている。係止舌片１２の下端には、径方向外方に突出する張出部１６が設けられている。
【００２９】
ホルダー部材１４は、天板部１１の外径とほぼ一致する内径を有する円筒からなり、該ホルダー部材１４の上端には径方向外方に突出するフランジ部１７が設けられている。このホルダー部材１４の軸長は、上記係止部材１３の軸長とほぼ等しくなされている。
【００３０】
上記バイアル瓶１に凍結乾燥製剤（固体成分）を無菌状態で密封収容するには、まず、図４（ａ）に示すように、滅菌処理されたバイアル瓶１内に無菌室内で薬液を充填する。次に、図４（ｂ）に示すように、栓体５をバイアル瓶１の口部４に半打栓し、凍結乾燥装置内で薬液の液体成分を蒸発させ、該蒸気を凹部１０による通気路を介して瓶外部へ排出する。次に、図４（ｃ）に示すように、栓体５を完全に口部４内に打栓して、凍結乾燥製剤をバイアル瓶１の内部空間に気密状に密封収容する。次に、図４（ｄ），（ｅ）に示すように、蓋部材６の係止部材１３を、栓体５並びに口部４に被冠して、ホルダー部材１４を下方に強く押し込むと、連結部１５が破断してホルダー部材１４が係止部材１３の外周側に装着され、図１（ａ）に示すように、該ホルダー部材１４によって係止舌片１２が径方向内方に弾性変形されて、この係止舌片１２の係止凸部１５が、口部４のフランジ部７に係止する。かかる蓋部材６の装着状態では、ホルダー部材１４が係止部材１３から離脱されない限り、蓋部材６によって栓体５を確実に保持できる。
【００３１】
上記ボトル２は、上端には上方に開口する上側口部２１を有するとともに下端には下方に開口する下側口部２２（第２の口部）を有する円筒状の容器本体２０と、容器本体２０の下側口部２２に取り付けられるキャップ２３とから主構成されている。容器本体２０の上側口部２１にはポンプスプレー装置２４（吐出装置）が装着されている。各口部２１，２２の外周にはネジ部が設けられ、ポンプスプレー装置２４は上側口部２１の外周に螺着されており、また、キャップ２３は下側口部２２の外周に螺着されている。
【００３２】
容器本体２０は、円筒状の上部構成部材２５と円筒状の下部構成部材２６とからなる。上部構成部材２５は、上記した上側口部２１と、該口部よりも大径の筒状の胴部２７とが連設されてなり、該胴部２７の軸方向中途部にはフランジ部２８が径方向外方に突出するように設けられている。下部構成部材２６は、上記した下側口部２３と、該口部２３よりも大径の筒状の胴部２９とが連設されてなる。上下の胴部２８，２９の端部同士は気密状かつ液密状にインロー嵌合されている。
【００３３】
ポンプスプレー装置２４は、上側口部に螺着される円筒状キャップ部材３０と、容器本体２０の内部空間に収容された液体を、該内部空間の底部側から吸い上げるための吸い上げ管３１と、該吸い上げ管３１を介して液体を吸い上げるための吸引力を生じさせるポンプ部３２と、吸い上げた液体を外部に噴霧するためのスプレー部３３とを備えている。吸い上げ管３１とポンプ部３２とスプレー部３３とは、軸方向に連設されており、また、ポンプ部３２は、キャップ部材３０に取付保持されている。吸い上げ管３１は、容器本体２０の軸中央部に配置され、容器本体２０のほぼ全長にわたって軸方向に延設されている。
【００３４】
下側口部２２についてより詳細に説明すると、該口部２２は、外周に上記ネジ部が設けられた円筒状の螺着部２２ａと、該螺着部２２ａから下方に延出され且つ螺着部２２ａよりも小径の円筒状のシリンダ部２２ｂとが軸方向に連設されてなる。この口部の螺着部２２ａに上記キャップ２３の外筒部２３ａが螺着されている。さらに、キャップ２３は、シリンダ部２２ｂに液密状かつ気密状に内嵌される有底円筒状（若しくは、柱状であってもよい）の密栓部２３ｂを軸中央部に一体に備えている。
【００３５】
下側口部２２の先端（本実施例ではシリンダ部２２ｂ）は、バイアル瓶１の口部４に気密状かつ液密状に内嵌可能に構成されており、用時溶解時にはバイアル瓶１とボトル２とを軸方向に結合可能にしている。また、ボトル２の下側口部２２の開口端部（本実施例ではシリンダ部２２ｂの端部）の外周には、バイアル瓶１の口部４と下側口部２２とが気密状に嵌合する状態からバイアル瓶１とボトル２とを離反させようとする際に、両口部４，２２の間に、容器内部空間（バイアル瓶１の内部空間及びボトル２の内部空間）を外気に連通させる通気路を形成するための溝部１８が、周方向に複数設けられている。この溝部１８の数は一つであってもよいが、好ましくは４つ設けることができ、また、複数の溝部１８を周方向に均等配置することが好ましい。また、溝部１８は、それが形成される口部２２の気密状に嵌合する部位（本実施例ではシリンダ部２２ｂ）の軸方向中途部にまで設けることが好ましく、これによれば、嵌合状態における気密性を確保しつつも、エア抜きを確実に行わせることが可能となる。
【００３６】
また、図示実施例では、図１（ｂ）に示すように、ボトル２の下側口部２２の基端部（上端部）外周に、帯状のスペーサリング１９が取り外し可能に設けられている。このスペーサリング１９は、キャップ２３の裾部と容器本体２０の胴部２７，２９との間に位置して、キャップ２３のねじ込み位置を規制している。また、口部２２の基端部外周と、キャップ２３の裾部内周には、キャップ２３を口部２２に螺着する方向の回転は許容するがキャップ２３を口部から取り外す方向の回転は阻止するように係合する係合突起３４，３５が、周方向に所定間隔をあけて複数設けられている。したがって、スペーサリング１９を取り外す前はキャップ２３は口部２２に着脱自在であるが、スペーサリングを取り外して、両係合突起３４，３５が係合するまでキャップ２３をより深く口部２２に螺着すると、キャップ２３は口部２２から取り外し不能となる。
【００３７】
上記ボトル２に、凍結乾燥製剤の溶解液（液体成分）を収容するには、図４（ｆ）に示すように、キャップ２３を口部２２から取り外した状態でボトル２を天地反転し、下側口部２２から溶解液を充填する。次に、図４（ｇ），（ｈ）に示すように、スペーサリング１９並びにキャップ２３を順に口部２２外周に装着する。
【００３８】
而して、凍結乾燥製剤を収容するバイアル瓶１と、溶解液を収容するボトル２とを適宜の梱包材に梱包して、保管、輸送、販売等を行う。
【００３９】
上記用時混合容器セットを用いた用時溶解方法（用時混合方法）について説明する。まず、図５（ａ）に示すように、蓋部材６並びに栓体５をバイアル瓶１の口部４から離脱させるとともに、上下反転させたボトル２の下側口部２２からキャップ２３並びにスペーサリング１９を取り外し、各口部４，２２を開放させる。
【００４０】
次に、図５（ｂ）並びに図２に示すように、ポンプスプレー装置２４をボトル２に装着したまま、バイアル瓶１を上下反転させてその口部４をボトル２の口部２２に気密状に嵌合し、バイアル瓶１の内部空間とボトル２の内部空間とを軸方向に連通させる。次に、図５（ｃ）に示すように、連結されたバイアル瓶１並びにボトル２を正転させると、ボトル２内の溶解液がバイアル瓶１内に流入する。次に、図５（ｄ）に示すように、バイアル瓶１とボトル２とを接続した状態でこれら容器を振ることによって、凍結乾燥製剤を溶解液に溶解させて、点鼻液剤などの混合液剤とする。この際、容器内部空間は密封されているので、液剤が漏れることもなく、容易かつ迅速に混合溶解作業を行える。なお、この混合の際に、蒸気圧等の要因によって容器内圧が大気圧よりも上昇する。次に、図５（ｅ）に示すように、連結されたバイアル瓶１並びにボトル２を再度天地反転させると、混合液剤がバイアル瓶１内部からボトル２内部に流入する。次に、図５（ｆ）に示すようにバイアル瓶１をボトル２の口部２２から離反させるが、図５（ｅ）に示す状態からバイアル瓶１の口部４をボトル２の口部２２に対して軸方向に摺動させる過程で、バイアル瓶１の口部４先端がボトル口部２２先端の溝部１８に達すると、該溝部１８が容器内部空間を外気に連通させる通気路となって、溝部１８を介して容器内部の空気が排気される。このように、周方向所定部位の細い通気路を介して予め排気するため、バイアル瓶１をボトル２から完全に離脱させたときに、バイアル瓶１内面の広い範囲に残存している液剤を周囲に撒き散らすことがない。
【００４１】
そして、図５（ｇ），（ｈ）並びに図３に示すように、ボトル２の下側口部２２にキャップ２３を螺着すると、スペーサリング１９が取り外されているため、キャップ２３裾部が口部２２基端に係合して、キャップ２３は取り外し不能となる。また、キャップ２３の密栓部２３ｂが口部２２のシリンダ部２２ｂに気密状かつ液密状に内嵌することにより、下側口部２２が密封されるようになる。また、キャップ２３の底面は平坦状に構成され、かつ、下側口部２２の外径の２倍程度の外径を有するものであるから、このキャップ２３がボトル２の台座として機能する。したがって、ボトル２底部に液体流通口となる口部２２を設け、かつ、吸い上げ管３１によって最後まで液剤を吐出できるように口部２２の内径を胴部内径よりも小径としたにも関わらず、ボトル２を机や棚の上に安定的に自立させることが可能となる。
【００４２】
図６及び図７は本発明（特に、請求項２，４，６，７）の第２実施形態に係る用時混合容器セットを示しており、上記第１実施形態と同様の構成については同符号を付して詳細説明を省略し、異なる構成、作用効果について説明する。
【００４３】
本実施形態では、ボトル２の下側口部２２の構成が上記第１実施形態と異なる。即ち、本実施形態の下側口部２２のシリンダ部２２ｂは、バイアル瓶１の口部４内径よりも小径とされ、このシリンダ部２２ｂの先端（下端）に、漏斗状のフレア部２２ｃが一体成形されている。このフレア部２２ｃは、ボトル２下端側に移行するにしたがって径方向外方に拡がるように形成されており、フレア部２２ｃの最下端（先端）の内径（これが最大径となる）は、バイアル瓶１の口部４内径よりも大径となされているとともに、フレア部２２ｃの断面形状は、先尖状となされている。また、キャップ２３を口部に装着した状態では、フレア部２２ｃは、キャップ２３の外筒部２３ａと密栓部２３ｂとの間の空間に収容されるようになっている。
【００４４】
そして、本実施形態の用時混合容器セットにおいては、ボトル２内の溶解液をバイアル瓶１内に流入させる際、バイアル瓶１をボトル２に結合させずに、ボトル２を傾斜させてフレア部２２ｃの周方向一部をバイアル瓶１の口部４上に位置させ、このフレア部２２ｃを利用して溶解液をバイアル瓶１内に注ぎ入れることで、液漏れを防止しつつ容易かつ確実に溶解液の移し換えを行うことができる。そして、バイアル瓶１内で凍結乾燥製剤を溶解液に混合溶解させた後、バイアル瓶１を傾斜させてバイアル瓶１の口部４の周方向一部を、天地反転させたボトル２のフレア部２２ｃ上に位置させ、このフレア部２２ｃを漏斗として用いて混合液剤をボトル２内に注ぎ入れることで、液漏れを防止しつつ混合液剤の移し換えを行うことができる。
【００４５】
図８〜図１１は本発明（特に、請求項５〜８）の第３実施形態に係る用時混合容器セットを示しており、該セットを構成するバイアル瓶１については上記第１実施形態と同様であるので詳細説明を省略し、ボトル２（第２容器）の構成について詳細に説明する。
【００４６】
本実施形態の用時混合容器セットは、上記第１実施形態と同様のバイアル瓶１（第１容器）と、上端にのみ接続口部４２（第２の口部）が設けられた樹脂製ボトル２（第２容器）と、図９に示すポンプスプレー装置２４とによって主構成されている。このポンプスプレー装置２４は、上記第１実施形態と同様のものであるので詳細説明を省略する。
【００４７】
本実施形態のボトル２は、溶解液収容空間を内部に有するとともに口部４３（第３の口部）を上部に有する有底円筒状の容器本体４４と、一端部が容器本体４４の口部４３に気密状かつ液密状に着脱自在に装着されるとともに他端部に前記接続口部４２を有する円筒状のアダプター４５（ジョイント）と、容器本体の下部に装着される有底円筒状の台座４７とを備えている。アダプター４５の接続口部４２には、気密状かつ液密状にキャップ４６が着脱自在に装着される。また、ポンプスプレー装置２４は、アダプター４５に代えて容器本体４４の口部４３に気密状かつ液密状に装着可能に構成されている。
【００４８】
上記容器本体４４は、軸方向中央の胴部が径方向外方に膨出形成されるとともに、軸方向中央から底部側に移行するにしたがって徐々に小径となるように形成されている。容器本体４４の上端の口部４３は、上方に向けて開口する円筒状であって、外周側にはアダプター４５とポンプスプレー装置２４のいずれかを選択的に螺着するためのねじ部が形成されている。容器本体４４の底部に装着される台座４７は、有底円筒状であって、容器本体４４の胴部の最大径とほぼ同一の外径を有している。
【００４９】
上記アダプター４５は、容器本体４４の口部４３外周に螺着される下端筒部４８と、該筒部４８の上部に連設される中央筒部４９と、該筒部４９の上部に連設される上記接続口部４２とを備えている。接続口部４２の外径は中央筒部４９の外径よりも小径とされ、これらの間に段差が形成されるようにしている。また、接続口部４２は、バイアル瓶１の口部４に気密状かつ液密状に内嵌可能に構成されている。この接続口部４２の外周には、バイアル瓶１の口部４と接続口部４２とが気密状に嵌合する状態からバイアル瓶１とボトル２とを離反させようとする際に、両口部４，４２間に、容器内部空間（バイアル瓶１の内部空間及びボトル２の内部空間）を外気に連通させる通気路を形成するための溝部５０が、周方向に複数設けられている。この溝部５０の数は一つであってもよいが、好ましくは４つ設けることができ、また、複数の溝部５０を周方向に均等配置することが好ましい。また、溝部５０は、それが形成される接続口部４２の軸方向中途部にまで設けることが好ましく、これによれば、嵌合状態における気密性を確保しつつも、エア抜きを確実に行わせることが可能となる。
【００５０】
なお、アダプター４５の中央筒部４９外周にはねじ部が形成されており、該筒部４９に、キャップ４６が螺着されている。キャップ４６と接続口部４２との間には隙間が形成されており、接続口部４２を塑性変形させてしまうことを防止している。
【００５１】
本実施形態の用時混合容器セットによれば、図１０に示すように、アダプター４５の接続口部４２をバイアル瓶１の口部４内に内嵌することで、アダプター４５を介してバイアル瓶１とボトル２とを気密状に接続することができる。したがって、図８に示す状態でバイアル瓶１内には凍結乾燥製剤を、ボトル２内には溶解液を収容密封しておき、用時に、バイアル瓶１の口部４から栓体５並びに蓋部材６を取り外すとともに、ボトル２の接続口部４２からキャップ４６を取り外して両口部４，４２を開放し、図１０に示すようにバイアル瓶１とボトル２とを連結することにより、バイアル瓶１内の凍結乾燥製剤をボトル２内の溶解液に混合溶解させることが可能となる。この際、容器内部空間は密封されているので、液剤が漏れることもなく、容易かつ迅速に混合溶解作業を行えるが、この混合の際に、蒸気圧等の要因によって容器内圧が大気圧よりも上昇する。混合作業後、バイアル瓶１をボトル２の口部４２から離反させるが、バイアル瓶１の口部４をボトル２の口部４２に対して軸方向に摺動させる過程で、バイアル瓶１の口部４先端がボトル口部４２先端の溝部５０に達すると、該溝部５０が容器内部空間を外気に連通させる通気路となって、溝部５０を介して容器内部の空気が排気される。このように、周方向所定部位の細い通気路を介して予め排気するため、バイアル瓶１をボトル２から完全に離脱させたときに、バイアル瓶１内面の広い範囲に残存している液剤を周囲に撒き散らすことがない。
【００５２】
そして、図１１に示すように、ボトル２の容器本体４４からアダプター４５を取り外し、容器本体４４の口部４３外周にポンプスプレー装置２４のキャップ部材３０を螺着することによって、ボトル２内に収容された混合液剤を、その内部空間の底部から吸い上げ管３１を介して吸い上げてスプレー部３３から噴霧可能となる。
【００５３】
図１２〜図１４は、上記蓋部材６の別の実施例を示しており、本実施例の蓋部材６においては、ホルダー部材１４の内周面と、係止舌片１２の外周面とに、ホルダー部材１４を係止部材１３の外周に装着したときに互いに軸方向に係合する係合部１２ａ，１４ａが設けられている。係止舌片１２の係合部１２ａは、係止舌片１２の下端近傍に設けられた小突起によって構成されている。一方、ホルダー部材１４の係合部１４ａは、ホルダー部材１４の下端から径方向内方に突出する内向きフランジによって構成されている。なお、ホルダー部材１４の係合部１４ａの内周面は、下端側に従って徐々に径方向外方に傾斜するように形成されている。
【００５４】
これら係合部１２ａ，１４ａは、周方向に延びる凸条からなり、それぞれの周面から若干量突出形成されている。この蓋部材６によれば、図１３に示すように、係止部材１３の外周にホルダー部材１４を押し込み装着した際、互いの係合部１２ａ，１４ａが係合して、ホルダー部材１４を軸方向に抜き出す方向の抵抗が増し、不慮にホルダー部材１４が係止部材１３から離脱してしまうことを防止できる。
【００５５】
さらに、本実施例の蓋部材６においては、天板１１の周縁下部に、ホルダー部材１４の係合部１２ａに軸方向に係合する係合部１１ａが形成されている。この係合部１１ａの外径は、ホルダー部材１４の係合部１２ａ上端の内径よりも若干大きくなされている。したがって、蓋部材６がバイアル瓶１の口部４に装着されている図１３に示す状態から、ホルダー部材１４を把持して上方に引き上げると、係止舌片１２の係止凸部１５が口部４のフランジ部７に係止しているため、引き上げ当初はホルダー部材１４のみが上方に移動する。そして、ホルダー部材１４が係止舌片１２から離れると、係止舌片１２は復元して口部４に対する係合が解除される。そのまま、ホルダー部材１４を引き上げていくと、係合部１４ａが天板１１の係合部１１ａに係止し、そのときは係止部材１３は口部４に係合していないため、図１４に示すように、ホルダー部材１４とともに口部４から離脱される。
【００５６】
なお、上記実施例では、係止舌片１２の係合部１２ａに係合するホルダー部材１４の係合部１４ａを、天板１１の係合部１１ａにも係合させたが、この係合部１１ａに係合する係合部を上記係合部１４ａとは別にホルダー部材１４に設けることも可能である。また、各係合部の位置は適宜設計することができ、上下方向に多少位置変更してもよく、またその形状も任意に選定することが可能である。
【００５７】
図１５並びに図１６は蓋部材６のさらに別の実施例を示しており、図１２に示すものと同様の構成については同符号を付して詳細説明を省略し、異なる構成、作用効果について説明する。
【００５８】
本実施例の蓋部材６では、ホルダー部材１４の内周面に螺旋状のネジ部１４ｂが設けられているとともに、係止部材１３の係止舌片１２外周面に、上記ネジ部１４ｂに対応する螺旋状のネジ部１２ｂが形成されており、上記の係合部１２ａは係止舌片１２に設けられていない。なお、ホルダー部材１４の下端係合部１４ａと天板１１の周縁係合部１１ａが設けられている点は上記実施例と同様である。
【００５９】
言い換えれば、ホルダー部材１４の内周面と、各係止舌片１２の外周面とに、互いに螺合するネジ部１２ｂ，１４ｂが形成されて、係止部材１３外周にホルダー部材１４が螺着されるようになっている。これによれば、係止舌片１２を径方向内方に強く押し付けてバイアル瓶１の口部４の密封を確実なものとした場合に、ホルダー部材１４と係止部材１３とがきつく嵌合していても、ホルダー部材１４の比較的軽い回転操作によって容易かつ迅速にホルダー部材１４を係止部材１３から離脱させることが可能となる。
【００６０】
本発明は上記実施例に限定されるものではなく、本発明の要旨を逸脱しない範囲内において種々変更を加え得ることは勿論である。例えば、第１容器と第２容器の双方に液体成分を収容してもよく、双方に粉状乃至粒状の固体成分を収容してもよい。
【００６１】
【発明の効果】
本発明によれば、用時において第１容器と第２容器とを接続して固体成分と液体成分とを混合するか、あるいは第２容器内の液体成分を第１容器に一旦移し代えて第１容器内で混合作業を行った後、混合液を第２容器内に収容し、この容器に吐出装置を装着して、スプレー容器などの吐出容器として流用することができ、梱包の小型化、廃棄物の削減を図りつつも用時混合を的確に行うことができる。
【図面の簡単な説明】
【図１】本発明の第１実施形態に係る用時混合容器セットを示す縦断面図であり、特に、（ａ）はバイアル瓶、（ｂ）は溶解液容器並びにスプレー容器兼用の樹脂ボトルを示す。
【図２】同用時混合容器セットのバイアル瓶とボトルとを接続した状態を示す縦断面図である。
【図３】同用時混合容器セットの用時混合工程が完了した状態のボトルの縦断面図である。
【図４】同用時混合容器セットの凍結乾燥製剤並びに溶解液の充填工程を示す工程図である。
【図５】同用時混合容器セットの用時混合方法を示す工程図である。
【図６】本発明の第２実施形態に係る用時混合容器セットを示す縦断面図であり、特に、（ａ）はバイアル瓶、（ｂ）は溶解液容器並びにスプレー容器兼用の樹脂ボトルを示す。
【図７】同用時混合容器セットの用時混合工程が完了した状態のボトルの縦断面図である。
【図８】本発明の第３実施形態に係る用時混合容器セットを示す縦断面図であり、特に、（ａ）はバイアル瓶、（ｂ）は溶解液容器並びにスプレー容器兼用の樹脂ボトルを示す。
【図９】ポンプスプレー装置の縦断面図である。
【図１０】第３実施形態の用時混合容器セットのバイアル瓶とボトルとを接続した状態を示す縦断面図である。
【図１１】同用時混合容器セットの用時混合工程が完了した状態のボトルの縦断面図である。
【図１２】バイアル瓶の口部に装着される蓋部材の別の実施例を示す拡大縦断面図である。
【図１３】同蓋部材をバイアル瓶の口部に装着した状態を示す拡大縦断面図である。
【図１４】図１３に示す状態からホルダー部材を引き上げた状態を示す拡大縦断面図である。
【図１５】バイアル瓶の口部に装着される蓋部材のさらに別の実施例を示す拡大縦断面図である。
【図１６】同蓋部材をバイアル瓶の口部に装着した状態を示す拡大縦断面図である。
【符号の説明】
１  バイアル瓶（第１容器）
２  ボトル（第２容器）
４  バイアル瓶の口部（第１の口部）
５  栓体
６  蓋部材（コレットキャップ）
１０  凹部
１１  天板部
１２  係止舌片
１３  係止部材
１４  ホルダー部材
１８  溝部
２０  容器本体（ボトル本体）
２２  接続口部（第２の口部）
２２ａ  螺着部
２２ｂ  シリンダ部
２２ｃ  フレア部
２３  キャップ
２３ａ  外筒部
２３ｂ  密栓部
２４  ポンプスプレー装置（吐出装置）
４２  接続口部（第２の口部）
４３  容器本体の口部（第３の口部）
４４  容器本体（ボトル本体）
４５  アダプター
５０  溝部
【図１】
0004086509.tif 000002
【図２】
0004086509.tif 000003
【図３】
0004086509.tif 000004
【図４】
0004086509.tif 000005
【図５】
0004086509.tif 000006
【図６】
0004086509.tif 000007
【図７】
0004086509.tif 000008
【図８】
0004086509.tif 000009
【図９】
0004086509.tif 000010
【図１０】
0004086509.tif 000011
【図１１】
0004086509.tif 000012
【図１２】
0004086509.tif 000013
【図１３】
0004086509.tif 000014
【図１４】
0004086509.tif 000015
【図１５】
0004086509.tif 000016
【図１６】
0004086509.tif 000017